(57)【要約】【課題】  使用している前記画像処理装置の電池に前記画像処理装置を問題なく動作できる能力が残っているにもかかわらず、ある程度の余裕を持たせて動作を制限するため電池あたりの総印刷枚数が少なくなるという問題点を解決する。【解決手段】  画像処理装置が動作するための電源を画像印刷装置から供給を受け動作するように構成する事が可能な接続で構築され、画像処理装置から画像情報を受け取り画像印刷装置が画像を印刷する事を特徴とする画像処理システム。【選択図】        図２
2005175586.tif 000002
【特許請求の範囲】
【請求項１】
撮像した静止画像及び或いは動画像を記録媒体に記録及び再生表示する画像処理装置と、静止画像及び或いは動画像の一部分を印刷媒体に印刷する画像印刷装置とを有する画像処理システムにおいて、前記画像処理装置が動作するための電源を前記画像印刷装置から供給を受け動作するように構成する事が可能な接続で構築され、前記画像処理装置から画像情報を受け取り前記画像印刷装置が画像を印刷する事を特徴とする画像処理システム。
【請求項２】
前記画像処理装置の供給電源状態と、前記画像印刷装置の電源の状態に基づいて、画像印刷装置の印刷速度を変更することを特徴とする請求項１記載の画像処理システム。
【請求項３】
前記画像処理装置の供給電源状態と、前記画像印刷装置の電源の状態に基づいて、画像印刷装置の印刷濃度を変更することを特徴とする請求項１記載の画像処理システム。
【請求項４】
前記画像印刷装置の電源が商用ＡＣ電源の時は、前記画像印刷装置の印刷速度を変更しないことを特徴とする請求項２又は３記載の画像処理システム。
【発明の詳細な説明】
【技術分野】
【０００１】
本発明は、静止画像や動画像を撮像、記録、再生する画像処理装置と画像処理装置に記録した画像を印刷する画像印刷装置を接続し、前記画像処理装置から画像情報を受け取り前記画像印刷装置が画像を印刷する事を特徴とする、ダイレクトプリントシステムである処の画像処理システムに関する。
【背景技術】
【０００２】
従来、静止画像や動画像を記録再生する電子カメラ等の画像処理装置と、記録した画像を印刷するプリンター等の画像印刷装置とを通信ケーブル等で接続することによって、撮影、記録した画像を紙等の印刷媒体に印刷することが可能であるシステムは既に市販されている（例えば特許文献１参照。）。
【０００３】
これらのシステムは、パソコン等を介さずに、電子カメラから直接プリンターに印刷することが可能なため、使用者にとって簡便性が高い。特に、プリント速度が早いプリンターはプリント終了まで待ち時間が少なくなるため使用者にとって有益である。
【０００４】
また、前記画像処理装置が動作するために必要な電源を前記画像印刷装置から供給しシステムを構築するとシステム構成時に前記画像処理装置の電源状態を気にせず利便性よくダイレクトプリントシステムが構築できる。
【特許文献１】特開平１０−３２２５０５号公報
【発明の開示】
【発明が解決しようとする課題】
【０００５】
前記画像処理装置が電池で駆動する場合のプリントシステム構築に必要な動作電源能力の下限は、最後までプリントアウトできずに紙及びインクの無駄になるという問題点を回避するため、プリンター等の画像印刷装置で必要な消費電流、消費電力と、前記画像処理装が動作するために必要な消費電流、消費電力とを必ず満足する必要がある。前記画像処理装置が前記画像印刷装置に電源供給を必要とせずに構築できるダイレクトプリントシステムも構築できる前記画像印刷装置においても、使用している前記画像処理装置の電池に前記画像処理装置を問題なく動作できる能力が残っているにもかかわらず同様の条件で動作を制限するため電池あたりの総印刷枚数が少なくなるという問題点があった。
【０００６】
あるいは、総印刷枚数を確保するために、前記画像処理装置が動作するための能力分を強化した電池を用意する必要があった。
【０００７】
本発明は上記問題点に着目して成されたものであって、画像処理装置が画像印刷装置から電源供給を受けて動作するダイレクトプリントシステムの画像印刷装置が電池動作時に、電池の容量が印刷可能な残量であるにもかかわらず印刷処理を制限しなくても良い画像処理システムを提供することを目的としている。
【課題を解決するための手段】
【０００８】
本発明に係る画像処理装置に於いては、第１に、撮像した静止画像及び或いは動画像を記録媒体に記録及び再生表示する画像処理装置と、静止画像及び或いは動画像の一部分を印刷媒体に印刷する画像印刷装置とを有する画像処理システムにおいて、前記画像処理装置と前記画像印刷装置との接続状態で、前記画像処理装置の電源供給が前記画像印刷装置から供給を受けている場合及び前記画像印刷装置がバッテリ駆動状態の場合に、画像印刷装置の印刷速度を変更することを特徴とする。
【０００９】
第２に、画像処理装置の電源供給が前記画像印刷装置から供給を受けている場合及び前記画像印刷装置がバッテリ駆動状態の場合に、画像印刷装置の印刷濃度を変更することを特徴とする。
【００１０】
上記手段により、画像処理装置が画像印刷装置から電源供給を受けプリントシステムを構築することが可能なダイレクトプリントシステムにおいて、接続時のシステム電源構成にあわせ、画像印刷装置の動作バッテリの電力を効率よく使用できる電源管理能力を持った画像処理システムを提供することが可能となる。
【発明の効果】
【００１１】
本発明によれば、第１に、撮像した静止画像及び或いは動画像を記録媒体に記録及び再生表示する画像処理装置と、静止画像及び或いは動画像の一部分を印刷媒体に印刷する画像印刷装置とを有する画像処理システムにおいて、前記画像処理装置と前記画像印刷装置との接続状態で、前記画像処理装置の電源の状態が前記画像印刷装置から供給を受け動作するダイレクトプリントシステムにおいて、電源の状態に基づいて印刷制御を変更することを特徴とする画像処理システムを提供することが可能となる。
【００１２】
第２に、前記画像処理装置が自己電源で動作する場合は、前記画像印刷装置の印刷速度を変更しないことを特徴とする画像処理装置システムを提供することが可能となる。
【００１３】
第３に、前記画像印刷装置の電源が商用ＡＣ電源の時は、前記画像処理装置の電源供給方法に依存せず印刷制御を行うことを特徴とする画像処理装置を提供することが可能となる。
【００１４】
上記手段により、画像処理装置が画像印刷装置から電源供給を受けて動作するダイレクトプリントシステムの画像印刷装置が電池動作時に、電池の容量が印刷可能な残量であるにもかかわらず印刷処理を制限しなくても良い、画像処理装置を提供することが可能となる。
【発明を実施するための最良の形態】
【００１５】
以下に本発明を実施するための最良の形態を、実施例に基づいて図面を参照しながら説明する。
【実施例】
【００１６】
（第１の実施例）
以下、図面を参照して本発明の実施例を説明する。
【００１７】
図１は、本発明第１の実施例の構成を示す図である。
【００１８】
図１において、１００は画像処理装置である。
【００１９】
１０は光学像を電気信号に変換するＣＣＤやＣＭＯＳ等の撮像素子、及び、撮像素子のアナログ信号出力をディジタル信号に変換する撮像部である。１２は信号処理部であり、撮像部１０からのデータに対して所定の画素補間処理や色変換処理を行う。１４は信号処理部１２で処理されたデータを書き込むメモリ、及び或いは、撮影した静止画像や動画像を格納するためのメモリであり、所定枚数の静止画像や所定時間の動画像を格納するのに十分な記憶量を備えている。１６はＴＦＴ  ＬＣＤ等から成る画像表示部であり、メモリ１４に書き込まれた表示用の画像データは画像表示部１６により表示される。
【００２０】
２０は画像処理装置１００全体を制御するシステム制御回路である。
【００２１】
３０、３２、及び３６は、システム制御回路２０の各種の動作指示を入力するための操作手段であり、スイッチやダイアル、タッチパネル等の単数或いは複数の組み合わせで構成される。
【００２２】
ここで、これらの操作手段の具体的な説明を行う。３０はモードスイッチで、撮影モード、再生モード、ダイレクトプリントモード等に切り替え設定することができる。３２はプリントスイッチで、画像印刷装置２００と接続された状態の時に、プリントスタート、プリントストップを指示することができる。３６は各種ボタンやタッチパネル等からなる操作部で、各種設定のオン、オフや各種切り替えを行うことができる。
【００２３】
４０は電源スイッチで、画像処理装置１００の電源オン、電源オフの各モードを切り替え設定することができる。また、画像処理装置１００に接続された記録媒体６０等の各種付属装置の電源オン、電源オフの設定も合わせて切り替え設定することができる。
【００２４】
５０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路２０の指示に基づいてＤＣ−ＤＣコンバータを制御し、必要な電圧を必要な期間、記録媒体６０を含む各部へ供給する。５２は電池やＡＣアダプター等からなる電源手段であり、画像処理装置１００の各部に必要な電力を供給する。また、画像印刷装置２００の接続時には、画像処理装置１００側の通信手段８０、画像印刷装置２００側の通信手段１４０を介して画像印刷装置２００の各部に必要な電力を供給することもできる。
【００２５】
６０はメモリカードやハードディスク等の記録媒体である。６２は記録媒体６０が装着されているか否かを検知する記録媒体着脱検知手段である。
【００２６】
７０は画像印刷装置２００が接続されているか否かを検知する画像印刷装置接続検知手段である。
【００２７】
８０は通信手段で、ＵＳＢ、ＩＥＥＥ１３９４等の各種通信機能を有し、画像印刷装置２００と接続することにより、ダイレクトプリントを行うことができる。また、図示しないパソコンと接続することにより、記録媒体６０に記録されている画像データ等をパソコンに送信したり、パソコンから各種データを受け取ったり、パソコンから画像処理装置１００を動作させたりすることができる。
【００２８】
２００は画像印刷装置である。
【００２９】
１１０は画像印刷装置２００全体を制御するシステム制御回路である。
【００３０】
１２０は画像処理装置１００から通信して送られてきた印刷画像データを格納、及び或いは、展開するメモリである。
【００３１】
１３０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路１１０の指示に基づいてＤＣ−ＤＣコンバータを制御し、必要な電圧を必要な期間、各部へ供給する。１３２は電池やＡＣアダプター等からなる電源手段であり、画像印刷装置２００の各部に必要な電力を供給する。また、画像処理装置１００の接続時には、通信手段が電力供給手段をかねるＵＳＢなどの通信手段の場合は画像印刷装置２００側の通信手段１４０、画像処理装置１００側の通信手段８０を介して画像処理装置１００の各部に必要な電力を供給することもできる。
【００３２】
他通信手段の場合は別途電源供給が有線の電源供給用ケーブルあるいは無線（図不指示）で行える仕組みとなっている。
【００３３】
１４０は通信手段で、ＵＳＢ、ＩＥＥＥ１３９４等の各種通信機能を有し、画像処理装置１００と接続することにより、ダイレクトプリントを行うことができる。また、図示しないパソコンと接続することにより、画像データ等をパソコンに送信したり、パソコンから各種データを受け取ったり、パソコンから画像印刷装置２００を動作させたりすることができる。
【００３４】
１５０はヘッド、センサー、モーター、給紙ローラー、用紙トレイ等からなるメカユニットである。
【００３５】
第１の実施例として、ＵＳＢで接続された状態で画像処理装置１００がバス電源で動作するデバイスとなりダイレクトプリントシステムが構築される場合としての動作を説明する。
【００３６】
図２を用いて本発明の実施例における画像印刷装置２００の主ルーチンのフローチャートを示し、図３を用いて、本実施例の印刷モードにおけるプリント速度と消費電流、電池電圧との関係を説明する。
【００３７】
画像処理装置１００は電池を動作電源として駆動される状態となっており、電源投入ボタン（図不指示）を押されたことをシステム制御回路１１０が検知し（Ｓ１０１）、画像印刷装置２００において必要な所定の初期設定を行う（Ｓ１０２）。
システム制御回路１１０は、画像処理装置１００が接続されたかどうかの判断を行う（Ｓ１０３）。
【００３８】
接続が確認できたらＵＳＢを確立するためエニュミレーション処理を行い、コンフィグレーション状態に移行する。（Ｓ１０４）
この際に装着されたデバイスである画像処理装置１００のデバイス電源要件に合わせ（Ｓ１０５）、要件により印刷時の動作条件を通常消費電力印刷動作モード（Ｓ１０６）、あるいは低消費電力印刷モード（Ｓ１０７）に設定する。
【００３９】
図３は、プリント動作時の消費電流、電池電圧との関係を簡単に現した図を示す。
【００４０】
３−１はプリント時の消費電流を表す図であり、画像処理装置１００側がバス電源デバイスの場合、画像処理装置１００の消費電流のラッシュ電流はデバイスに供給する電力分増加する。
【００４１】
３−２は定常状態で同じ電圧を出力している電源にて画像処理装置が異なる場合のプリント動作時の出力電圧降下を示す。
【００４２】
３−２の右図に示すようにラッシュ電流が高い場合、つまり画像処理装置１００が動作電力を画像印刷装置２００から供給を受けて動作するシステムでは、プリント時に電池電圧が大きく降下するために、画像印刷装置２００の印刷動作が不可能になる電圧ＬＢを超えてしまい、画像印刷装置２００が動作に必要な電圧を出力できなくなり印刷枚数が少なくなってしまう。
【００４３】
図４はかかる問題を回避するための動作モードの処理となり、左図が通常消費電力印刷動作モード、右図が低消費電力印刷モードについて印刷スピードを落とす事により実現させた場合のプリント動作時の消費電流、電池電圧との関係を簡単に現した図を示す。
【００４４】
４−１はプリント時の消費電流を表す図であり、画像処理装置１００側がバス電源デバイスの場合、画像処理装置１００は通常スピードで動作する場合のラッシュ電流を越えないよう印刷スピードを低下させる事を表す。
【００４５】
これにより４−２のプリント動作時の出力電圧降下に示されるよう、画像印刷装置２００が画像処理装置１００の電力供給を行って動作している場合においても、定常出力電圧が同じ場合は同様に、電源は画像印刷装置２００が動作に必要な電圧を供給する事が可能になる。
【００４６】
尚、画像処理装置１００がバス電力動作デバイスの場合はコンフィギュレーション状態に移行する際に、ダイレクトプリントシステムの画像処理装置として動作できるよう必要な所定の初期設定が行なわれる。
【００４７】
ダイレクトプリントシステムの画像処理装置として動作が可能になった画像処理装置１００からプリントスイッチ３２によりプリントスタート指示がなされ、画像印刷装置２００に印刷処理を実行する旨をＢｕｌｋＩＮパイプあるいはインタラプトパイプで伝えられるか監視し、プリントスタート指示がなされていたならば（Ｓ１０８）、設定された印刷モードの印刷制御でプリント処理を実行する（Ｓ１０９）。
【００４８】
尚、プリント終了後は接続状態の確認、プリント指示、電源スイッチの監視、電源状態の確認等を行ないう所定の動作を行えるよう動作する物とする。
【００４９】
また、印刷時の出力低下が動作に影響するのは電源出力が低くなる減電付近であるため
バッテリーの電圧出力特性に応じ、画像処理装置１００が画像印刷装置２００から電源供給を受けて動作する場合でも電源の出力に余裕があれば印刷時間を優先するよう、通常印刷モードで印刷し電源能力が規定の出力以下になった場合から低消費電力モードで動作する事も有効な手段である。
【００５０】
また、本実施例では印刷スピードを変更しラッシュ電流を制限したが、印刷品位の状況にもよるが印刷濃度を下げる事でもラッシュ電流を低下させることが可能なため、同様の効果を得る手段として有効である事は言うまでもない。
【００５１】
更に、画像印刷装置２００が商用ＡＣ電源の時は、画像処理装置１００が画像印刷装置２００から電源供給を受けて動作する場合でも出力レベルには致命的な問題が起きないため、通常印刷モードで印刷動作する事により、本来の動作条件で動作するシステムとして提供が可能となる。
【図面の簡単な説明】
【００５２】
【図１】本発明の実施例の構成ブロック図
【図２】画像印刷装置の主ルーチンを示すフローチャート
【図３】デバイス電力要件によるプリントと消費電流、電池電圧との関係を現した図
【図４】プリント速度と消費電流、電池電圧との関係を現した図
【符号の説明】
【００５３】
１０  撮像部
１２  信号処理部
１４  メモリ
１６  画像表示部
２０  システム制御回路
３０  モードスイッチ
３２  プリントスイッチ
３６  操作部
４０  電源スイッチ
５０  電源制御手段
５２  電源手段
６０  記録媒体
６２  記録媒体着脱検知手段
７０  画像印刷装置接続検知
８０  通信手段
１００  画像処理装置
１１０  システム制御回路
１２０  メモリ
１３０  電源制御手段
１３２  電源手段
１４０  通信手段
１５０  メカユニット
２００  画像印刷装置
【図１】
2005175586.tif 000003
【図２】
2005175586.tif 000004
【図３】
2005175586.tif 000005
【図４】
2005175586.tif 000006